(57)【要約】【課題】動画撮影中に撮像装置の姿勢が横位置から縦位置に変化したときに、後で動画像を再生表示したときに見やすい画像データを生成する。【解決手段】動画、静止画を記録可能な撮像装置１００は、撮像部１０２と、画像信号に色再生処理を施して生成された元画像データを一時的に記憶する画像データメモリ１１０と、元画像データを画像データメモリ１１０から読み出して処理をし、ライブビュー表示用画像データと記録用画像データとを生成する画像処理部１０６と、画像データ読み出し制御部１１４と、撮像装置１００の姿勢を検出する姿勢検出部１２２とを備える。画像データ読み出し制御部１１４は、元画像データを画像データメモリから読み出し、画像処理部１０６で処理をする際のメモリアクセス順序を、姿勢検出部１２２での姿勢検出結果に応じて変える。【選択図】図１
2012023523.tif 000002
【特許請求の範囲】
【請求項１】
動画と静止画を記録可能な撮像装置であって、
被写体を撮像して画像信号を生成する撮像部と、
前記画像信号に色再生処理を施して生成された元画像データを一時的に記憶する画像データメモリと、
前記元画像データを前記画像データメモリから読み出して処理をし、ライブビュー表示用画像データと記録用画像データとを生成する画像処理部と、
前記元画像データを前記画像データメモリから読み出す際の動作を制御する画像データ読み出し制御部と、
当該撮像装置の姿勢が横位置か縦位置かを検出する姿勢検出部と、
前記ライブビュー表示用画像データに基づくライブビュー画像を表示可能な画像表示部とを備え、
前記画像データ読み出し制御部は、前記元画像データを前記画像データメモリから読み出し、前記画像処理部で処理をする際のメモリアクセス順序を、前記姿勢検出部での姿勢検出結果に応じて変えることが可能に構成されることを特徴とする撮像装置。
【請求項２】
前記画像データ読み出し制御部は、読み出し領域設定部をさらに備え、
前記読み出し領域設定部は、当該撮像装置の姿勢が縦位置であると前記姿勢検出部で検出されているときに、前記元画像データ中の一部の画像データを読み出して前記画像処理部で処理をするように制御をすることを特徴とする請求項１に記載の撮像装置。
【請求項３】
前記元画像データを解析して被写体を認識する処理である被写体認識処理を行う被写体認識処理部と、
前記被写体認識処理部による前記被写体認識処理の結果を含む被写体認識情報を記憶する被写体認識情報記憶部と
をさらに備え、
当該撮像装置の姿勢が横位置であると前記姿勢検出部で検出される間、前記被写体認識処理部は前記被写体認識処理を繰り返し行う一方、前記被写体認識情報記憶部は、繰り返し行われる前記被写体認識処理に対応して被写体認識情報を更新記憶し、
前記読み出し領域設定部は、当該撮像装置の姿勢が縦位置であると前記姿勢検出部で検出されているときに、前記画像データメモリに一時的に記憶された前記元画像データ中から、横位置のときに撮像された撮像範囲と縦位置のときに撮像された撮像範囲とが一致する部分である一致部分を、前記被写体認識情報をもとに決定し、当該の一致部分に対応する領域の画像データを前記一部の画像データとして前記元画像データ中から読み出して前記画像処理部で処理をするように制御をすることを特徴とする請求項２に記載の撮像装置。
【請求項４】
前記画像処理部は、当該撮像装置の姿勢が縦位置であると前記姿勢検出部で検出されているときに、前記記録用画像データとして横長記録用画像データを生成し、
前記横長記録用画像データは、当該の横長記録用画像データに基づいて、前記画像表示部または当該の撮像装置とは別の再生表示装置上で再生表示が行われたときに表示される画像が横長で、当該の表示される画像中の被写体の天地方向が、前記画像表示部または前記再生表示装置の天地方向と一致したものとなる画像データであることを特徴とする請求項１から３のいずれか一つに記載の撮像装置。
【請求項５】
前記画像処理部は、前記ライブビュー表示用画像データおよび前記記録用画像データのそれぞれに対して、画像が表示されたときに特殊な視覚効果が付与されるようにするための処理である画像効果処理を行う画像効果処理部をさらに備え、
前記画像効果処理部は、前記姿勢検出部で検出された前記撮像装置の姿勢が縦位置であるときに、前記ライブビュー表示用画像データおよび前記記録用画像データのそれぞれに対して異なる画像効果処理を行うように構成されることを特徴とする請求項４に記載の撮像装置。
【発明の詳細な説明】
【技術分野】
【０００１】
本発明は，動画と静止画を撮像することができる撮像装置に関する。
【背景技術】
【０００２】
ビデオカメラなどの動画撮影用カメラでは、撮影した画像をモニタ表示装置などの横長の表示装置で鑑賞するため、カメラを縦位置にして撮影することは基本的にはない。一方、デジタルスチルカメラに代表される撮像装置を用いての撮影では、撮影者は撮影意図に応じて撮像装置の姿勢を横位置または縦位置に変化させて撮影を行う。例えば、水平方向に拡がる風景などの被写体を撮影する場合、撮影者は撮像装置の姿勢を横位置にして撮影する可能性が高い。また、人や高層建築物など、縦長の被写体を撮影する場合には、撮像装置の姿勢を縦位置にして撮影する可能性が高い。
【０００３】
撮像素子や画像信号処理部の高性能化に伴い、静止画も動画も撮影可能なデジタルカメラが市場に多く出回っている。このようなデジタルカメラの中には、動画撮影の最中にも静止画の撮影が可能なものがある。このようなデジタルカメラでは、静止画撮影用のレリーズ操作が行われる直前まで動画撮影が行われる。そして、静止画撮影用のレリーズ操作に応答して静止画撮影シーケンスを実行し、その後再び動画撮影動作に戻る。
【０００４】
動画撮影においては、撮影者が特別な作画意図を持たない限り、撮像装置を縦位置に構えることはない。しかし、動画撮影中に一時的に静止画を撮影する場合、被写体によっては撮像装置の姿勢を横位置から縦位置に切り替える必要を生じる。この場合、上述したように静止画が撮影される直前まで動画撮影動作が続いているので、後で動画を再生表示したときに、縦長の画像を横倒しにした状態（再生表示される画像中の被写体の天地方向が表示装置の左右方向に沿う状態）の画像が一時的に表示され、見づらくなる。
【０００５】
ところで、静止画を撮影した場合であっても、縦位置で撮影して得られた縦長の画像をモニタ表示装置などの横長の表示装置に表示するとき、同じく縦長の画像が横倒しに表示されるので見づらくなる。これに対して、画像データに付加されるタグ情報中から撮像装置の撮影時の姿勢に関する情報を読み出し、縦位置で撮影されたものであると判定されたときには画像を９０°回転し、被写体の天地方向がモニタ表示装置の表示部の天地方向に一致するように表示する（横長のモニタ表示装置の表示部に縦長の画像を表示する）技術が知られている。なお、撮像装置の撮影時の姿勢は、撮像装置に内蔵される姿勢センサにより検出される。
【０００６】
ただし、モニタ表示装置のアスペクト比（本明細書中では映像の技術分野における慣習に従い、アスペクト比を横：縦の比として表現する）が比較的大きく、横長の度合いの大きなモニタ表示装置に縦長の画像を表示すると、モニタ表示装置の表示面の左右に表示される余白が大きくなり、表示面の面積を有効活用することができなくなる。
【０００７】
この問題に対して、特許文献１には、モニタ表示装置のアスペクト比と、縦位置で撮影された画像のアスペクト比との比較結果に基づいて、画像を縦長で表示するか、横長で表示するかを判定するものが開示される。特許文献１にはまた、横長のモニタ表示装置に縦長の画像を表示するとともに、余白となる部分に、画像の一部を部分的に拡大して表示する技術が開示されている。
【先行技術文献】
【特許文献】
【０００８】
【特許文献１】特開２００６−２８７７４４号公報
【発明の概要】
【発明が解決しようとする課題】
【０００９】
上述した特許文献１は、静止画を再生表示するための技術に関するものであり、動画の再生表示については触れられていないが、ここで、撮像装置の姿勢が横位置で動画撮影をしている途中で、撮像装置の姿勢が一時的に縦位置へ切り替えられた場合について検討する。
【００１０】
縦位置で撮影された縦長の画像が、横長のモニタ表示装置上で縦長となるように表示する（以下、本明細書中では、このように表示することを縦横変換表示と称する）ことにより、撮像装置の姿勢によらず、再生表示される画像中の被写体の天地方向がモニタ表示装置の表示部の天地方向に一致するように表示することが可能となる。
【００１１】
しかし、単純に縦横変換表示をすると、表示される画像の左右方向の寸法が上述したように小さくなるため、表示画面内の左右に画像の表示されない部分、すなわち余白部分ができてしまう。通常、この余白部分には黒または無彩色が表示される。したがって、再生表示される動画を鑑賞しているときに、縦位置で撮影された部分が再生されると、表示される画像が急に縦長の小さいものとなり、左右に余白部分が表示されることになる。そのため、表示される画像自体は、画像中の被写体の天地方向と表示画面の天地方向とが一致して見やすくなってはいるものの、依然として違和感は残る。
【００１２】
これに対し、縦長の画像中の一部を切り出して、具体的には縦長の画像の上側および下側を部分的に捨てて、縦位置で撮影された画像の天地方向の画素数を減じるようにして縦横変換表示をすることが考えられる。これにより、表示される画像の一部（上端部分、下端部分）は欠けてしまうものの、表示画像の左右に存在する余白部分の面積を相対的に減じることが可能となる。また、動画像データの記録時に、縦位置で撮影して得られた縦長の画像中から一部を切り出し、横長のモニタ表示装置上で横長の表示が行われる画像を生成して記録することにより、後で通常の画像再生装置で再生表示する際に、違和感の少ない表示を行うことが可能となる。
【００１３】
このときさらに、余白部分を生じないように、縦長の画像からモニタ表示装置のアスペクト比と同じアスペクト比の画像を切り出して横長の画像（横位置で撮影して得られたのと同様の画像）を生成し、記録することも可能である。この場合には、いわば電子的にトリミングした画像が記録されるので、縦位置で撮影された動画が再生表示される際には、被写体が一時的に大き目に表示される。
【００１４】
ところで、縦位置で動画撮影して得られた縦長の画像中から上述した処理によって横長の動画像を生成する処理をする場合においても、撮像装置に備えられるモニタ表示装置や電子ビューファインダ（以下、Electronic Viewfinderの頭文字をとり、ＥＶＦと称する）に表示するライブビューは、上述した処理をする前の縦長の画像とする必要がある。理由は、撮像装置が縦位置で構えられているときには、撮像装置に備えられるモニタ表示装置やＥＶＦもまた略９０°回転していて、縦長の状態になっているからである。また、撮影対象の被写体の天地方向と、ライブビュー表示される画像中の被写体の天地方向とが一致していないと、撮影者は円滑な構図決定をすることができないからである。
【００１５】
上記のように動画像の生成およびライブビュー表示を行うと、ライブビュー表示用に生成される画像は縦長のものとなる一方、動画記録用に生成される画像は、後で再生表示されたときに横長の画像を表示可能なものとなる。しかし、ライブビュー表示用画像データと記録用画像データとで異なるものを生成しようとすると、撮像装置の処理負荷は増加する。
【００１６】
上述した処理負荷の増加の理由について説明する。従来、ライブビュー表示用に生成される画像データは、動画記録用に生成された画像を縮小することにより生成可能であるので、ライブビュー表示用の画像データの生成には多くの処理負荷を必要としない。ところが、上述のようにライブビュー表示される画像と動画記録用の画像とが異なるものである場合、動画記録用に生成された画像を縮小してライブビュー表示用の画像データを生成することができなくなるので処理負荷が増す。また、動画記録用の画像データ生成に際しても、横位置で撮影して得られる画像データを処理する場合とは異なる処理が必要となり、処理負荷が増す。
【００１７】
処理負荷が画像処理装置の処理能力を上回る場合、それはライブビュー表示や動画記録に際しての秒あたりフレーム数（ｆｐｓ）の低下や画質の低下を招く。逆に、上述した処理が可能となるように画像処理装置の処理能力を高めようとすると、撮像装置の高価格化や電池寿命の低下を招くことになる。
【００１８】
本発明の課題は、動画と静止画とを記録可能な撮像装置において、プロセッサに求められる処理能力を大幅に高めることなく、縦位置での撮影時にライブビュー表示用の画像と記録用の画像とで異なる画像を生成可能とすることにある。
【課題を解決するための手段】
【００１９】
（１）  本発明は、動画と静止画を記録可能な撮像装置に適用される。この撮像装置が
被写体を撮像して画像信号を生成する撮像部と、
前記画像信号に色再生処理を施して生成された元画像データを一時的に記憶する画像データメモリと、
前記元画像データを前記画像データメモリから読み出して処理をし、ライブビュー表示用画像データと記録用画像データとを生成する画像処理部と、
前記元画像データを前記画像データメモリから読み出す際の動作を制御する画像データ読み出し制御部と、
当該撮像装置の姿勢が横位置か縦位置かを検出する姿勢検出部と、
前記ライブビュー表示用画像データに基づくライブビュー画像を表示可能な画像表示部とを備え、
前記画像データ読み出し制御部は、前記元画像データを前記画像データメモリから読み出し、前記画像処理部で処理をする際のメモリアクセス順序を、前記姿勢検出部での姿勢検出結果に応じて変えることが可能に構成されることにより上述した課題を解決する。
【発明の効果】
【００２０】
撮像部から出力された画像信号に色再生処理を施して生成された元画像データを一時的に記憶する画像データメモリから、この元画像データを読み出して画像処理部で処理をする際のメモリアクセス順序を、姿勢検出部での姿勢検出結果に応じて変えることにより、画像処理部で元画像データを処理してライブビュー表示用画像データおよび記録用画像データを生成する際の処理効率を高めることが可能となる。
【図面の簡単な説明】
【００２１】
【図１】撮像装置の内部構成を説明するブロック図である。
【図２】撮像装置で行われる動画像記録処理の手順を説明するフローチャートである。
【図３】撮像装置で行われる縦位置用撮像処理の手順を説明するフローチャートである。
【図４】撮像装置で１フレーム分の撮像が行われる際の手順を説明するフローチャートである。
【図５】縦位置および横位置で撮像されたときにライブビュー表示用画像データおよび記録用画像データが生成される際の処理内容と生成されるライブビュー表示用画像データおよび記録用画像データを概念的に説明する図である。
【図６】縦位置で撮像が行われたときにライブビュー表示用画像データおよび記録用画像データが生成される際の処理負荷を概念的に示す図であり、（ａ）は本発明による場合を、（ｂ）は従来の技術による場合を示す図である。
【図７】横位置、縦位置で撮像された画像に対して疑似ジオラマモードでの画像効果処理が行われる様子を説明する図であり、（ａ）は横位置で撮像して得られた画像に画像効果処理が行われた場合の表示画像を示す図であり、（ｂ）は縦位置で撮像して得られた画像に画像効果処理が行われた場合の表示画像を示す図であり、（ｃ）は横位置で撮像されて画面中央に写っている人物とその周辺部分のみを切り出して示す図であり、（ｄ）は縦位置で撮像されて画面中央に写っている人物とその周辺部分のみを切り出して示す図であり、（ｅ）は横位置で撮像されているときに生成される元画像データを示す図であり、（ｆ）は縦位置で撮像されているときに生成される元画像データを示す図である。
【発明を実施するための形態】
【００２２】
図１は、本発明の実施の形態に係る撮像装置１００の内部構成を概略的に説明するブロック図である。撮像装置１００は、撮像部１０２と、画像表示部１０４と、画像処理部１０６と、画像データメモリ１１０と、画像記録部１１２と、画像データ読み出し制御部１１４と、被写体認識処理部１１８と、被写体認識情報記憶部１２０と、姿勢検出部１２２とを備える。これらの構成要素は、同じく撮像装置１００に備えられるシステムバス１３０によって電気的に接続されている。
【００２３】
画像処理部１０６は、画像効果処理部１０８を備え、画像データ読み出し制御部１１４は読み出し領域設定部１１６を備える。
【００２４】
撮像部１０２は、被写体像を形成する撮像光学系と、撮像光学系によって形成された被写体像を光電変換して画像信号を生成可能な撮像素子と、撮像素子で生成されるアナログ画像信号に相関二重サンプリング、増幅等のアナログ処理をするアナログ・フロントエンドと、アナログ・フロントエンドで処理されたアナログ画像信号をデジタル画像信号に変換するＡ／Ｄコンバータとを備える。
【００２５】
本明細書において、撮像素子はＣＭＯＳイメージセンサで、撮像素子内にアナログ・フロントエンドおよびＡ／Ｄコンバータが備えられてデジタル画像信号を出力可能に構成されるものとする。撮像素子は多板式のものであっても、単板式のものであっても良いが、本明細書中ではベイヤ配列のオンチップカラーフィルタが光電変換部に設けられた単板式のものであるものとする。撮像素子のＡ／Ｄコンバータから出力されるデジタル画像信号は、画像データメモリ１１０に一時的に記憶される。
【００２６】
画像データメモリ１１０は、ＳＤＲＡＭ等で構成され、比較的高速のアクセス速度を有するメモリである。画像データメモリ１１０は、システムバス１３０に電気的に接続されていて、撮像部１０２、画像処理部１０６、被写体認識処理部１１８、画像表示部１０４からアクセス可能に構成される。
【００２７】
画像処理部１０６は、画像データメモリ１１０に一時記憶されたデジタル画像信号にホワイトバランス補正、デモザイク、ＯＢ減算、ノイズ低減、ガンマ変換、色再現、エッジ強調等の処理を行ってＲＧＢ画像データを生成する。画像処理部１０６はさらに、ＲＧＢ画像データをＹＣｂＣｒの輝度信号および色差信号に変換し、画像データメモリ１１０に一時的に記憶する。本明細書では、デジタル画像信号が上述のように処理され、ＹＣｂＣｒの輝度信号および色差信号に変換されて生成される画像データを元画像データと称する。
【００２８】
画像処理部１０６はさらに、撮像装置１００の動作モードに応じてライブビュー表示用画像データや動画あるいは静止画の記録用画像データを生成する。記録用画像データは、必要に応じて画像圧縮処理が行われて画像記録部１１２に記録される。画像記録部１１２は、フラッシュメモリ等で構成することができる。なお、撮像装置１００は、画像記録部１１２を必ずしも備えている必要はない。例えば、撮像装置１００は外付け式のメモリカードを装着可能に構成されていてもよい。あるいは、撮像装置１００が有線や無線の形態で外部の情報処理装置と通信可能に構成されていて、撮像して生成された記録用画像データを外部の情報処理装置へ随時送信可能に構成されていてもよい。
【００２９】
画像表示部１０４は、ＴＦＴカラー液晶表示装置と、バックライト装置と、画像データメモリ１１０に画定されるＶＲＡＭエリア中のデータに基づいてＴＦＴカラー液晶表示装置を駆動して画像を表示するディスプレイドライバとを備える。撮像装置１００が撮像モードにあるとき、画像表示部１０４はライブビュー画像を表示可能に構成される。また、撮像装置１００が再生モードにあるとき、画像表示部１０４は画像記録部１１２に記録された画像データに基づく画像（動画、静止画）を再生表示することが可能に構成される。上述したＴＦＴカラー液晶表示装置に代えて、画像表示部１０４は有機ＥＬ表示装置等の自発光表示デバイスを備えていてもよい。その場合、バックライト装置を省くことができる。
【００３０】
被写体認識処理部１１８は、画像データメモリ１１０から元画像データを読み出して被写体認識処理を行う。具体的には、元画像データを解析して画像の色、形状、濃淡等のパターンの特徴を抽出する処理を行う。本明細書では、１水平ライン中の画素の輝度値（Ｙ値）をヒストグラム化したものが、その水平ラインに対応する特徴量として抽出されるものとする。このとき、１水平ラインに対応して一つのヒストグラムが形成されてもよいし、１水平ラインを複数に分割して、分割されたそれぞれに対応してヒストグラムが形成されてもよい。被写体認識処理部１１８は、上述したパターンの特徴を抽出する処理を画像中の全水平ラインそれぞれで上述した処理をした結果得られた情報を被写体認識情報として被写体認識情報記憶部１２０に出力する。ところで、被写体認識処理部１１８での処理に際して、上述したように全水平ラインそれぞれで行うのに代えて、離間した水平ラインごとに、あるいは画面中の任意の１または複数の領域中に存在する水平ラインに対して行うようにしてもよい。
【００３１】
被写体認識情報記憶部１２０には、上記被写体認識情報が記憶される。上述した被写体認識処理部１１８での被写体認識処理は、動画撮像動作中の全フレーム（毎フレーム）に対して、あるいは数フレームに１回といった割合で行われる。被写体認識情報記憶部１２０には、被写体認識処理部１１８で被写体認識処理が行われる度、被写体認識情報が更新記憶される。
【００３２】
姿勢検出部１２２は、撮像装置１００の姿勢を検出可能に構成される。ここで、撮像装置１００の姿勢について説明すると、被写界中の水平線が長方形の画面の長辺に略平行となるように撮像される姿勢を横位置と称する。同様に、被写界中の鉛直線が長方形の画面の長辺に略平行となるように撮像される姿勢を縦位置と称する。姿勢検出部１２２は、重力（の向き）を検出可能な加速度センサを備えて構成されていてもよいが、手ぶれ検出用のジャイロセンサからの出力信号をもとに撮像装置１００の姿勢を検出可能に構成されていてもよい。撮像装置１００の姿勢が姿勢検出部１２２で検出された結果は、被写体認識処理部１１８、画像データ読み出し制御部１１４、画像処理部１０６に出力される。
【００３３】
画像処理部１０６が備える画像効果処理部１０８について説明する。画像効果処理とは、撮像装置１００の画像表示部１０４や、撮像装置１００以外の他の表示装置上に画像を表示したときに、特殊な視覚効果が付与されるようにするための処理である。撮像装置１００の仕様に応じて、様々な画像効果処理のモードを備えたものとすることが可能である。
【００３４】
画像効果処理のモードの例としては、色調（彩度）を実際よりも鮮やかにした画像が表示されるようにするもの（以下、高彩度モードと称する。）、あたかも、粒状性の好ましくない高感度のモノクロ銀塩フィルムで撮影して得たかのような、高コントラストで粗いモノクロ画像が表示されるもの（以下、高感度モノクロモードと称する。）、周辺光量が不足気味の撮影レンズで撮影して得たかのような画像が得られるもの（以下、周辺減光モードと称する。）などがある。
【００３５】
画像効果処理の別の例としては、長方形の画像の長辺と略平行な方向に長軸が延在するように画面内に楕円領域を設定し、その楕円領域外の像をぼかす処理をして元の画像と合成することにより、楕円領域内のみにピントが合ったかのような画像が得られるものがある。この画像効果処理が行われると、ジオラマを撮影して被写界深度が極端に狭くなったかのような画像が得られる。本明細書において、この画像効果処理のモードを疑似ジオラマモードと称する。
【００３６】
画像効果処理としては、一つの画像全体に対して一様に処理されるものと、撮像時における撮像装置１００の姿勢に依存する処理が行われるものとがある。例えば、高彩度モードや高感度モノクロモードでは、一つの画像全体に対して一様の処理が行われる。一方、疑似ジオラマモードでは、撮像時における撮像装置１００の姿勢に依存する画像効果処理が行われる。この、撮像時における撮像装置１００の姿勢に依存する画像効果処理が行われる例について、図７を参照して説明する。
【００３７】
図７は、横位置、縦位置で撮像された画像に対して疑似ジオラマモードでの画像効果処理が行われる様子を説明する図である。図７（ａ）は横位置で撮像して得られた画像に、図７（ｂ）は縦位置で撮像して得られた画像に、それぞれ疑似ジオラマモードでの画像効果処理が行われた場合の表示画像を概念的に示している。これら図７（ａ）、図７（ｂ）の画像中、画面中央に写っている人物とその周辺部分のみを切り出して示したのが図７（ｃ）、図７（ｄ）である。図７（ｅ）は、横位置で撮像されているときに生成される元画像データを、そして図７（ｆ）は縦位置で撮像されているときに生成される元画像データを概念的に示す図である。
【００３８】
図７（ｃ）に示されるように、横位置で撮像された画像では、人物の上側および下側の部分の画像がぼけたものとなっている。また、図７（ｄ）に示されるように、縦位置で撮像された画像では、人物の左側および右側の部分の画像がぼけたものとなっている。
【００３９】
本発明の実施の形態に係る撮像装置１００では、動画を撮像している最中に撮像装置１００の姿勢が縦位置であると姿勢検出部１２２で検出されると、横長記録用画像データを生成する処理が行われる。横長記録用画像データとは、この横長記録用画像データに基づいて再生表示装置上で再生表示が行われたときに表示される画像が横長となり、表示されている画像中の被写体の天地方向が、再生表示装置の天地方向と一致したものとなる画像データである。つまり、横位置で撮像されたときに生成される記録用画像データはもちろんのこと、縦位置で撮像されたときに生成される記録用画像データも、再生表示装置上に表示された画像中の被写体の天地方向が再生表示装置の天地方向と一致したものとなる。
【００４０】
このとき、縦位置で撮像されているときに生成されるライブビュー表示用画像データは、図７（ｆ）に示される縦位置撮像時の元画像データに対して縮小処理をし、図７（ｂ）に示されるような疑似ジオラマモードの画像効果処理を施したものとなる。その一方で、記録用画像データとしては、横長記録用画像データを生成する必要がある。横長記録用画像データを生成する際には、図７（ｆ）に示される縦位置撮像時の元画像データ中から、横位置で撮像されていたときの撮像範囲と一致する部分が切り出されて画像を回転する処理が行われ、さらに横位置で撮像されているときと同じ視覚効果が得られるように画像効果処理が施される。つまり、縦位置撮像時、ライブビュー表示用画像データ、記録用画像データの双方に対して異なる画像効果処理が行われる。
【００４１】
画像データ読み出し制御部１１４は、姿勢検出結果を姿勢検出部１２２から入力する。そして、撮像装置１００の姿勢が横位置であると検出される場合と縦位置であると検出される場合とで、画像処理部１０６が画像データメモリ１１０にアクセスして元画像データを読み出し、画像処理をする際のメモリアクセス順序を変えるように制御をする。
【００４２】
撮像装置１００の姿勢が横位置である場合、図７（ｅ）中で符号Ｈを付した矢印で示すように、縦・横方向に二次元配列された画素中、横方向に並ぶ画素のひとつ一つに対応する画像データを読み出すことを線順次に繰り返し行うように画像データメモリ１１０へのメモリアクセス順序を制御する。
【００４３】
撮像装置１００の姿勢が縦位置である場合、図７（ｆ）中で符号Ｖを付した矢印で示すように、縦・横方向に二次元配列された画素中、縦方向に並ぶ画素のひとつ一つに対応する画像データを読み出すことを線順次に繰り返し行うように画像データメモリ１１０へのメモリアクセス順序を制御する。
【００４４】
読み出し領域設定部１１６は、撮像装置１００の姿勢が縦位置であると姿勢検出部１２２で検出されているときに、画像データメモリ１１０に一時的に記憶されている元画像データ中から、横位置のときに撮像された撮像範囲と縦位置のときに撮像された撮像範囲とが一致する部分である一致部分を、被写体認識情報をもとに探索して決定する。そして、この一致部分に対応する領域の元画像データを元画像データ中から読み出して画像処理部で処理をするようにメモリアクセス範囲を制御する。
【００４５】
読み出し領域設定部１１６において画像データメモリ１１０に一時的に記憶されている元画像データ中から上記一致部分を決定する処理が行われる際にも、画像データメモリ１１０へのメモリアクセス順序が制御される。この場合には、図７（ｆ）中で符号Ｖを付した矢印で示すように、縦・横方向に二次元配列された画素中、縦方向に並ぶ画素のひとつ一つに対応する画像データを読み出すことを線順次に繰り返し行うように画像データメモリ１１０へのメモリアクセス順序を制御する。
【００４６】
このようにメモリアクセス順序を制御することにより、被写体認識情報記憶部１２０に記憶される被写体認識情報に基づいて上記一致部分を探索し、決定する処理をする際に、線順次での比較を行うことが可能となる。
【００４７】
例えば、図７（ｆ）に例示される元画像中、符号Ｖを付した矢印で示される線順次で処理を開始すると、やがて被写体である人物の頭部付近で一致部分の先頭が特定される。このとき、被写体の写っている向き（被写体の天地方向）を基準として考えると、被写体認識処理部１１８で被写体認識処理が行われる際の走査方向と、上記の一致部分を探索して決定する処理を行う際の走査方向とが一致しているので、相関をとりやすくなる。また、一致部分の先頭が特定されれば、どのあたりが一致部分の末尾であるかを予測することも可能であるので、途中の処理をスキップし、図７（ｆ）における人物の下肢部分近辺で一致部分を決定する処理を再開することにより、処理負荷を減じることが可能となる。さらに、一致部分の末尾が決定されれば、以降の処理を打ち切って処理負荷を減じることが可能となる。
【００４８】
上述のようにして、横位置のときに撮像された撮像範囲と縦位置のときに撮像された撮像範囲とが一致する部分である一致部分が、被写体認識情報をもとに決定される。読み出し領域設定部１１６は、この一致部分に対応する領域の画像データを、画像データメモリ１１０に一時的に記憶されている元画像データ中から読み出して画像処理をするように画像処理部１０６を制御する。
【００４９】
図１において、被写体認識処理部１１８、画像データ読み出し制御部１１４は画像処理部１０６とは別の処理ブロックであるものとして示されている。しかし、これらの被写体認識処理部１１８、画像データ読み出し制御部１１４は画像処理部１０６内に設けられていてもよい。同様に、被写体認識情報記憶部１２０と画像データメモリ１１０とは同じメモリ内に設けられていてもよい。
【００５０】
図２、図３、および図４は、撮像装置１００で実行される動画像記録の処理手順を説明する概略フローチャートである。そのうち、図２は動画像記録のメインの処理内容を示すフローチャートである。図３は、図２のフローチャートで行われる縦位置用撮像処理の処理内容を、図４は図２、図３のフローチャート中で行われる撮像処理の処理内容を、それぞれ示すフローチャートである。以下では、疑似ジオラマモードでの画像効果処理を行うように撮像装置１００が設定されているものとして説明をする。
【００５１】
図２のフローチャートを参照して説明する。図２に示される処理は、撮像装置１００の動作モードが動画像記録モードに設定され、動画像記録のスイッチがユーザによりオンされたときに実行が開始される。Ｓ２００では撮影姿勢の検出が行われる。すなわち、撮像装置１００の撮像時の姿勢を姿勢検出部１２２で検出した結果を入力する処理が行われる。
【００５２】
Ｓ２０２では、撮像装置１００の姿勢が横位置であるか否かかが判定され、この判定が否定される間、Ｓ２００、Ｓ２０２の処理が繰り返し行われる。この間、縦位置の姿勢での動画像の記録が通常どおり行われる。
【００５３】
Ｓ２０２での判定が肯定されると、Ｓ２０４で撮像の処理が行われる。ここで先に図４を参照して撮像処理について説明する。この撮像処理は、撮像動作を実行して１フレーム分の元画像データを生成する処理である。
【００５４】
図４のＳ４００において撮像動作が行われ、撮像素子からＡ／Ｄコンバータを介して出力されたデジタル画像信号がＳ４０２で画像データメモリ１１０に一時的に記憶される。
【００５５】
Ｓ４０４では、画像データメモリ１１０に一時的に記憶されたデジタル画像信号にホワイトバランス補正、デモザイク、ＯＢ減算、ノイズ低減、ガンマ変換、色再現、エッジ強調等の処理が行われ、ＲＧＢ画像データが生成される。このＲＧＢ画像データはさらに、ＹＣｂＣｒの輝度信号および色差信号に変換されて元画像データが生成される。この元画像データは、Ｓ４０６において画像データメモリ１１０に一時的に記憶され、１フレーム分の撮像処理が完了する。
【００５６】
図２のフローチャートを参照しての説明に戻ると、Ｓ２０４では図４を参照して以上に説明した撮像処理が行われ、画像データメモリ１１０には横位置で撮像して得られた元画像データが一時的に記憶される。
【００５７】
Ｓ２０６では、横位置の撮影姿勢に対応したメモリアクセス順序で元画像データを読み出すように画像データ読み出し制御部１１４から画像処理部１０６に制御信号が出力される。その結果、図７（ｅ）中で符号Ｈを付した矢印で示すように、縦・横方向に二次元配列された画素中、横方向に並ぶ画素のひとつ一つに対応する画像データを読み出すことを線順次に繰り返し行うように画像データメモリ１１０へのメモリアクセス順序が制御される。
【００５８】
Ｓ２０８では、元画像データから記録用画像データを生成し、画像効果処理を施して画像記録部１１２に記録する処理が行われる。
【００５９】
Ｓ２１０では、記録用画像データをリサイズ（縮小）してライブビュー表示用画像データを生成する処理が行われる。
【００６０】
Ｓ２１２では、Ｓ２１０で生成されたライブビュー表示用画像データに基づくライブビュー表示の処理が行われ、画像表示部１０４に１フレーム分のライブビュー画像が表示される。このとき表示されるライブビュー画像は、上述したように記録用画像データを縮小して生成されたライブビュー表示用画像データに基づくものであるので、疑似ジオラマモードでの画像効果処理の施されたものがライブビュー画像として表示される。
【００６１】
Ｓ２１４では、補間用画像データを画像データメモリ１１０に更新記憶する処理が行われる。この補間用画像データは、撮像装置１００の撮影姿勢が縦位置であるときに横長記録用画像データを生成する際に用いられる画像データである。補間用画像データの詳細については後で説明する。
【００６２】
Ｓ２１６では、画像データメモリ１１０に一時的に記憶される元画像データに対して被写体認識処理が行われる。この被写体認識処理は、図１に示される被写体認識処理部１１８で行われる処理である。Ｓ２１６での被写体認識処理の結果生成された被写体認識情報がＳ２１８で被写体認識情報記憶部１２０に記憶される。
【００６３】
以上に説明したＳ２０４からＳ２１８までの処理により、横位置で撮像された１フレーム分の記録用画像データの生成とライブビュー画像の表示とが行われる。
【００６４】
Ｓ２２０においては動画像記録のスイッチがオン状態にあるか否かが判定され、この判定が否定されると一連の動画像記録処理を完了する。一方、Ｓ２２０での判定が肯定される、すなわち動画像記録のスイッチが依然としてオン状態にあると判定されると処理はＳ２２２に進む。
【００６５】
Ｓ２２２では撮像装置１００の姿勢を検出する処理が行われる。Ｓ２２４では、撮像装置１００の姿勢が縦位置であるか否かが判定される。Ｓ２２４での判定が否定される、すなわち撮像装置１００は横位置にあると判定されると処理はＳ２０４に戻り、横位置での動画像撮像処理が継続して行われる。一方Ｓ２２４での判定が肯定される、すなわち撮像装置１００は縦位置にあると判定されるとＳ２２６で縦位置用撮像処理が行われ、１フレーム分の撮像、画像処理、横長記録用画像データの生成および記録、ライブビュー表示用画像データの生成および表示処理が行われてＳ２２０に戻る。
【００６６】
Ｓ２２６で実行される縦位置用撮像処理の内容について、図３のフローチャートを参照して説明する。Ｓ３００では図４を参照して説明した撮像処理が行われ、１フレーム分の元画像データが画像データメモリ１１０に一時的に記憶される。
【００６７】
Ｓ３０２では、縦位置の撮影姿勢に対応したメモリアクセス順序で元画像データを読み出すように画像データ読み出し制御部１１４から画像処理部１０６に制御信号が出力される。その結果、図７（ｆ）中で符号Ｖを付した矢印で示すように、縦・横方向に二次元配列された画素中、縦方向に並ぶ画素のひとつ一つに対応する画像データを読み出すことを線順次に繰り返し行うように画像データメモリ１１０へのメモリアクセス順序が制御される。
【００６８】
以下、Ｓ３０４、Ｓ３０６、Ｓ３０８、Ｓ３１０、Ｓ３１６の処理が線順次に実行される。
【００６９】
Ｓ３０４では、縦位置で撮像されて生成され、画像データメモリ１１０に一時的に記憶されている元画像データ中から被写体認識情報との一致部分を探索する処理が行われる。つまり、縦位置で撮像されて画像データメモリ１１０に一時的に記憶されている元画像データ中から、横位置のときに撮像された撮像範囲と縦位置のときに撮像された撮像範囲とが一致する部分である一致部分を、被写体認識情報をもとに探索する処理が行われる。
【００７０】
具体的には、縦位置で撮像されて画像データメモリ１１０に一時的に記憶されている元画像データから、横位置で撮像されて生成された元画像データに対して被写体認識処理部１１８で行われたのと同様の処理をして特徴量を抽出し、抽出された特徴量と類似するものが被写体認識情報記憶部１２０に記憶される被写体認識情報中に無いか、図７（ｆ）中で符号Ｖを付した矢印で示す方向に沿う線順次で探索する処理が行われる。
【００７１】
Ｓ３０６では、元画像データ中の１ライン分、すなわち図７（ｆ）中で符号Ｖの付された矢印に沿う方向に並ぶ１垂直ライン分の画像が、横位置のときに撮像されて得られた画像中で一致する部分があるか否かが判定される。この判定が肯定されるとＳ３０８で横長記録用画像データを生成する処理が行われる。一方、Ｓ３０６の判定が否定されると、Ｓ３１６でライブビュー表示用画像データを生成する処理が行われる。これらの処理の詳細については後で説明する。
【００７２】
Ｓ３１０では、１フレーム分の元画像データについてすべての処理が完了したか否かが判定され、この判定が否定される間、Ｓ３０４からＳ３１０およびＳ３１６の処理が繰り返し行われる。
【００７３】
Ｓ３１０での判定が肯定されると処理はＳ３１２に進み、Ｓ３０８の処理で生成された横長記録用画像データを画像記録部１１２に記録する処理が行われる。Ｓ３１４では、Ｓ３１６の処理で生成されたライブビュー表示用画像データをもとに、画像表示部１０４にライブビュー画像を表示する処理が行われ、１フレーム分の縦位置用撮像処理が完了する。
【００７４】
なお、図３に示されるフローチャートは、撮像装置１００の撮影位置が横位置から縦位置に変更される際、撮影レンズの光軸回りに撮像装置１００が略９０°回転されたことを想定した処理となっている。つまり、横位置で撮像された画像と縦位置で撮像された画像とで一致部分が存在することを前提とした処理となっている。これに対し、例えば、撮影者が撮像装置１００の撮影姿勢を横位置から縦位置に変化させる際に撮像装置１００を急にパンさせたような場合、一致部分は無くなるので、図３の処理では横長記録用画像データが生成されないことになる。そのような場合には、動画像の記録を一時的に停止してもよいし、従来の撮像装置と同様に、縦長の記録用画像データが生成されて記録されてもよい。
【００７５】
図５は、以上に説明したＳ３０４からＳ３０８およびＳ３１６の処理によってライブビュー表示用画像データおよび横長記録用画像データが、画像データメモリ１１０に一時的に記憶されている元画像データから生成される様子を概念的に示す図である。図５には、動画像撮影中の撮像装置１００の撮影位置が横位置である場合、縦位置である場合における、元画像データ、ライブビュー表示画像、記録用画像データ（横長記録用画像データ）、ライブビュー表示用画像データ、再生動画像が示されている。
【００７６】
横位置で撮像が行われると、元画像データ５０１に画像効果処理を含む種々の画像処理が行われて記録用画像データ５２１が生成される。この記録用画像データ５２１に縮小処理がなされ、ライブビュー表示用画像データ５３１が生成される。ライブビュー表示用画像データ５３１に基づくライブビュー表示画像５１１が画像表示部１０４に表示される。また、撮像装置１００が画像再生モードに切り替えられ、記録用画像データ５２１に基づいて再生表示が行われると、画像表示部１０４には再生動画像５４１が表示される。
【００７７】
続いて、縦位置での撮像が行われた場合の処理について説明する。図５において、縦位置で撮像して生成された元画像データ５０２中、５０２Ｂの部分が、横位置のときに撮像された撮像範囲と縦位置のときに撮像された撮像範囲とで一致する部分であるものとする。つまり、Ｓ３０４で行われる一致部分の探索処理の結果、５０２Ａおよび５０２Ｃの部分に対してはＳ３０６の判定が否定されてＳ３１６の処理が行われ、ライブビュー表示用画像データ５３２中、５３２Ａおよび５３２Ｃの部分のデータが生成される。
【００７８】
一方、元画像データ５０２中の５０２Ｂの部分に対してはＳ３０６での判定が肯定されてＳ３０８の処理が行われ、横長記録用画像データ５２２中、５２２Ｂの部分のデータが生成される。この５２２Ｂの部分の横長記録用画像データからライブビュー表示用画像データ５３２中、５３２Ｂの部分が生成される。
【００７９】
なお、この時点ではまだ画像効果処理は行われていない。記録用画像データ５２２中、５２２Ａ、５２２Ｃの部分は、Ｓ２１４の処理によって記憶された補間用画像データから切り出したものを用いて生成される。その後、横長記録用画像データ５２２およびライブビュー表示用画像データ５３２に画像効果処理が行われ、Ｓ３１２で横長記録用画像データ５２２を記録する処理が、Ｓ３１４でライブビュー表示用画像データ５３２に基づくライブビュー表示をする処理が、それぞれ行われる。そして横位置での撮像時にはライブビュー表示画像５１１が、縦位置での撮像時にはライブビュー表示画像５１２が、画像表示部１０４に表示される。
【００８０】
撮像装置１００の姿勢が縦位置に切り替えられたときに、画像表示部１０４にライブビュー表示画像５１２が表示されることにより、撮影者はこのライブビュー表示画像５１２を見て、静止画を撮影する際の構図決定をすることができる。このとき、縦位置で撮像して得られる静止画像に画像効果処理が施された場合、どのような仕上がりとなるかを撮影者はライブビュー表示画像５１２見て判断することが可能となり、より的確な構図決定をすることが可能となる。
【００８１】
撮像装置１００の動作モードが再生モードに切り替えられると、横位置で撮像されて記録された記録用画像データ５２１に基づき、再生動画像５４１が画像表示部１０４に表示される。一方、縦位置で撮像されて記録された横長記録用画像データ５２２に基づき、再生動画像５４２が画像表示部１０４に表示される。
【００８２】
ところで、撮像装置１００を縦位置にする場合、撮影状況や撮影者の癖等により、撮像装置１００の例えば右側の側面が上となるようにする場合と下となるようにする場合とがある。それらの場合に応じて元画像データ５０２中の被写体像の天地方向の向きは異なる。その場合、姿勢検出部１２２での姿勢検出結果（右側の）に基づいて、図の元画像データ５０２の傍に符号Ｖを付した実線の矢印で示される方向、あるいは符号Ｖ’を付した破線の矢印で示される方向に沿う線順次で処理を行うようにすることも可能である。
【００８３】
撮像装置１００が縦位置になっていると判定されているとき、以上では図７（ｆ）中で符号Ｖを付した矢印で示す方向に沿う線順次で１ラインごとに一致部分の探索（Ｓ３０４）、一致判定（Ｓ３０６）、横長記録用画像データ生成（Ｓ３０８）、そしてライブビュー表示用画像データ生成（Ｓ３１６）の処理を行う例について図３のフローチャートを参照して説明した。これに対し、以下で説明するように処理をすることも可能である。
【００８４】
まず、図５に示される、縦位置で撮像して生成された元画像データ５０２全体に対して一致部分の探索（Ｓ３０４）の処理を行うことにより、元画像データ５０２を５０２Ａ、５０２Ｂ、５０２Ｃの部分に切り分けることが可能となる。つまり、横位置での撮影範囲と縦位置での撮影範囲とが一致する部分（５０２Ｂ）と、一致しない部分（５０２Ａ、５０２Ｃ）とに切り分け可能となる。その上で、以下に説明する方法１、方法２のいずれかで元画像データ５０２を処理することが可能である。
【００８５】
−  方法１  −
元画像データ５０２中、最初に５０２Ａの部分からライブビュー表示用画像データを生成する処理を行う。続いて、５０２Ｂの部分から横長記録用画像データを生成する処理を行う。その後、５０２Ｂの部分および５０２Ｃの部分からライブビュー表示用画像データを生成する。そして、生成された横長記録用画像データおよびライブビュー表示用画像データの双方に画像効果処理を施し、図５に示される記録用画像データ５２２およびライブビュー表示用画像データ５３２を得るのが方法１である。
【００８６】
−  方法２  −
元画像データ５０２中、最初に５０２Ａの部分からライブビュー表示用画像データを生成する処理を行う。続いて、５０２Ｂの部分から横長記録用画像データを生成する処理を行う。この横長記録用画像データの生成処理と並行し、５０３Ｂの部分の元画像データの縮小（ライブビュー表示用画像データの生成）、バッファリング処理を行う。その後、５０２Ｃの部分からライブビュー表示用画像データを生成し、三つの部分５０２Ａ、５０２Ｂ、５０２Ｃに対応するライブビュー表示用画像データから１フレーム分のライブビュー表示用画像データを得る。そして、生成された横長記録用画像データおよびライブビュー表示用画像データの双方に画像効果処理を施し、図５に示される横長記録用画像データ５２２およびライブビュー表示用画像データ５３２を得るのが方法２である。
【００８７】
図６は、縦位置で撮像動作が行われているときにライブビュー表示用画像データおよび横長記録用画像データを生成する際の処理負荷を概念的に示す図であり、図６（ａ）は本発明の実施の形態によるものを、図６（ｂ）は従来の技術に係るものを示す。また、図６（ａ）には、上述した方法１に対応する処理負荷が示されている。
【００８８】
図６（ａ）において、元画像データ５０２から横長記録用画像データ５２２とライブビュー表示用画像データ５３２とを生成する際に必要となるバス上の帯域がＢ１として示されている。同様に、図６（ｂ）においてはＢ２として示されている。
【００８９】
図６（ａ）を参照して説明すると、元画像データ５０２中の５０２Ａの部分に対応するライブビュー表示用画像データの生成プロセスＰ１が行われ、続いて５０２Ｂの部分に対応する横長記録用画像データの生成プロセスＰ２が行われる。その後、元画像データ５０２中の５０２Ｂ、５０２Ｃの部分に対応するライブビュー表示用画像データの生成プロセスＰ３が行われる。
【００９０】
ライブビュー画像表示は、例えばＱＶＧＡといった表示解像度で行われるため、ライブビュー表示用画像データ生成のプロセスＰ１、Ｐ３に要する帯域は相対的に狭くなる。また、横長記録用画像データ５２２の生成プロセスＰ２に関しては、元画像データ５０２中、横位置での撮影範囲と縦位置での撮影範囲とが一致する部分５０２Ｂの画像データのみが処理されるので、元画像データ５０２全体を処理する場合に比べて帯域が減じられる。
【００９１】
これに対して、縦位置で撮像されているときに、従来の技術によって元画像データ５０２からライブビュー表示用画像データ５３２Ａおよび横長記録用画像データ５２２Ａが生成される場合には、帯域が増加する。なお、ライブビュー表示用画像データ５３２と５３２Ａとは、実質的に同じ内容の画像データではあるが、データ生成のプロセスが異なるので従来の技術によって生成されたライブビュー表示用画像データは５３２Ａとして示してある。横長記録用画像データ５２２Ａも同様である。
【００９２】
本発明によれば、横位置での撮影範囲と縦位置での撮影範囲とが一致する部分５０２Ｂを探索する際、図６（ａ）中、符号Ｖを付した矢印で示される方向に走査が行われるので、１ライン分の走査をする都度、一致／不一致の判定が可能となるので、一致する部分５０２Ｂの先頭部分、末尾部分を探索することを比較的高速に行うことが可能となる。これは、被写体認識処理をする際と、上記一致する部分５０２Ｂを探索する処理をする際とで、撮像して得られた画像中の被写体の向き（例えば天地方向）を基準としたときの走査方向を、撮影姿勢が縦位置であるか横位置であるかによらず同じにすることができるからである。
【００９３】
一方、従来の技術によると、横位置での撮影範囲と縦位置での撮影範囲とが一致する部分５０２Ｂを探索する際、図６（ｂ）中、符号Ｈを付した矢印で示される方向に走査が行われる。この走査方向は、撮像して得られた画像中の被写体の向きを基準として考えると、被写体認識処理が行われたときの走査方向と異なる。そのため、上記一致部分５０２Ｂを探索するのに要するプロセスＰ２’の帯域幅は相対的に増す。一方、ライブビュー表示用画像データの生成のためのプロセスに要する帯域幅は本発明によるものと略同一である。結果として、横長記録用画像データの生成処理に要する帯域幅が増した分、ライブビュー表示用画像データおよび横長記録用画像データを生成するのに要する帯域幅は本発明による場合のＢ１に比して大きいＢ２となる。
【００９４】
以上のように、本発明に係る撮像装置１００によれば、動画像の記録中に撮影姿勢が横位置から縦位置に変わったときに、画像表示部１０４には縦長のライブビュー表示画像が表示されるようにして撮影者が静止画を撮影する際の構図決定を容易にする一方、後で再生表示が行われたときに横長の動画像が表示されるように横長記録用画像データを生成するので、撮像装置の姿勢によらず見やすい動画像を得ることが可能となる。このようにライブビュー表示用画像データおよび記録用画像データを生成する際、画像データメモリ１１０に一時的に記憶される元画像データを読み出して画像処理部１０６で処理をする際のメモリアクセス順序を、姿勢検出部１２２での姿勢検出結果に基づいて変えることにより、画像処理の効率を高めることが可能となる。その結果、フレームレートの低下や画質の低下等を抑制することが可能となる。
【産業上の利用可能性】
【００９５】
本発明は、静止画像を撮像可能なデジタルムービーカメラおよび動画像を撮像可能なデジタルスチルカメラのいずれにも適用可能である。
【符号の説明】
【００９６】
１００  …  撮像装置
１０２  …  撮像部
１０４  …  画像表示部
１０６  …  画像処理部
１０８  …  画像効果処理部
１１０  …  画像データメモリ
１１２  …  画像記録部
１１４  …  画像データ読み出し制御部
１１６  …  読み出し領域設定部
１１８  …  被写体認識処理部
１２０  …  被写体認識情報記憶部
１２２  …  姿勢検出部
５０１、５０２  …  元画像データ
５１１、５１２  …  ライブビュー表示画像
５２１  …  記録用画像データ
５２２  …  記録用画像データ（横長記録用画像データ）
５３１、５３２  …  ライブビュー表示用画像データ
５４１、５４２  …  再生動画像
【図１】
2012023523.tif 000003
【図２】
2012023523.tif 000004
【図３】
2012023523.tif 000005
【図４】
2012023523.tif 000006
【図５】
2012023523.tif 000007
【図６】
2012023523.tif 000008
【図７】
2012023523.tif 000009